(57)【要約】  【課題】  本発明の目的の１つは、ハンドオーバの際に、問題を有するデータ部分の発生が抑制されるようにすることである。【解決手段】  本発明では、送信先の候補としての複数の移動局の中から送信を行う対象の移動局を順次選択し、選択した移動局に対して共通チャネルを介してデータ伝送を行う無線通信システムにおいて、ハンドオーバを行う移動局を検出する検出部と、該検出部で検出した移動局について、他の移動局に比べて前記選択がされにくくなるように制御する制御部と、を備えたことを特徴とする無線基地局を用いる。【選択図】        図８
2006174279.tif 000002
【特許請求の範囲】
【請求項１】
送信先の候補としての複数の移動局の中から送信を行う対象の移動局を順次選択し、選択した移動局に対して共通チャネルを介してデータ伝送を行う無線通信システムにおいて、
ハンドオーバを行う移動局を検出する検出部と、
該検出部で検出した移動局について、他の移動局に比べて前記選択がされにくくなるように制御する制御部と、
を備えたことを特徴とする無線基地局。
【請求項２】
前記制御は、ハンドオーバ処理による、共通チャネルを介したデータの送信を予告するチャネルの切り替え前又は後の所定期間内で行う、
ことを特徴とする請求項１記載の無線基地局。
【請求項３】
前記制御は、ハンドオーバ処理による、共通チャネルを介したデータの送信を予告するチャネルの切り替え前に送信する予告するチャネルであって、該予告チャネルに従って送信される共通チャネルについての受信結果の送信タイミングが該チャネル切り替え後である、予告チャネルに関するものである、
ことを特徴とする請求項１記載の無線基地局。
【請求項４】
前記制御は、ハンドオーバ処理による、共通チャネルを介したデータの送信を予告するチャネルの切り替え後に送信する予告するチャネルであって、該予告の際に用いるパラ−メータが該チャネル切り替え前に送信される予告チャネルに関するものである、
ことを特徴とする請求項１記載の無線基地局。
【請求項５】
前記制御は、ハンドオーバ処理による、共通チャネルを介したデータの送信を予告するチャネルの切り替え前に送信する予告するチャネルであって、該予告に従って送信される共通チャネルが、該切り替えのタイミングにさしかかる、予告チャネルに関するものである、
ことを特徴とする請求項１記載の無線基地局。
【請求項６】
無線基地局からの受信した信号についての受信品質情報を送信するとともに、該受信品質情報に基づいて該無線基地局から下りチャネルを介してデータを受信する移動局において、
ハンドオーバ処理を行うことを検出する検出部と、
該検出を行った場合に、該ハンドオーバ処理による前記下りチャネルのチャネル切り替え前が送信タイミングである受信品質情報であって、該受信品質情報に基づいて該無線基地局から前記下りチャネルを介して送信されるデータの送信タイミングが該チャネル切り替え後である受信品質情報について送信をしないように制御する制御部と、
を備えたことを特徴とする移動局。
【請求項７】
無線基地局から受信した信号についての受信品質情報を送信するとともに、該受信品質情報に基づいて該無線基地局から下りチャネルを介して送信予告及び該送信予告に係るデータを受信し、該データの受信結果を送信する移動局において、
ハンドオーバ処理を行うことを検出する検出部と、
該検出を行った場合に、該ハンドオーバ処理による前記下りチャネルのチャネル切り替え後が送信タイミングである受信結果であって、該受信結果が示す受信結果に関するデータの送信に用いられる受信品質情報の送信タイミングが、該チャネル切り替え前である受信結果について送信をしないように制御する制御部と、
を備えたことを特徴とする移動局。
【発明の詳細な説明】
【技術分野】
【０００１】
本発明は、無線基地局、移動局に関し、好ましくは、Ｗ−ＣＤＭＡ（ＵＭＴＳ）通信方式を採用した移動無線通信システムで用いられる無線基地局、移動局に関する。
【背景技術】
【０００２】
無線を利用したデータ伝送方式１つとしてＨＳＤＰＡ（High Speed Downlink Packet Access）の実用化が現在進められている（非特許文献１参照）。ＨＳＤＰＡは、下り方向（Downlink）の高速パケット伝送を可能とする方式であり、最大約１４Ｍｂｐｓの伝送速度が可能とされている。
【０００３】
ＨＳＤＰＡは、適応符号化変調方式（ＡＭＣ：Adaptive Modulation and Coding）を採用しており、例えば、ＱＰＳＫ変調方式と１６値ＱＡＭ方式とを基地局、移動局間の無線環境に応じて適応的に切りかえることを特徴としている。
【０００４】
また、ＨＳＤＰＡは、Ｈ−ＡＲＱ（Hybrid Automatic Repeat reQuest）方式を採用している。Ｈ−ＡＲＱでは、移動局は基地局からの受信データについて誤りを検出した場合に、当該基地局に対して再送要求を行う。この再送要求を受信した基地局は、データの再送を行うので、移動局は、既に受信済みのデータと、再送された受信データとの双方を用いて誤り訂正復号化を行う。このようにＨ−ＡＲＱでは、誤りがあっても、既に受信したデータを有効に利用することで、再送回数を抑えている。
【０００５】
ＨＳＤＰＡに用いられる主な無線チャネルは、ＨＳ−ＳＣＣＨ（High Speed-Shared Control Channel）、ＨＳ−ＰＤＳＣＨ（High Speed-Physical Downlink Shared Channel）、ＨＳ−ＤＰＣＣＨ（High Speed-Dedicated Physical Control Channel）がある。
【０００６】
ＨＳ−ＳＣＣＨ、ＨＳ−ＰＤＳＣＨは、双方とも下り方向（Downlink）（即ち、基地局から移動局への方向）の共通チャネルであり、ＨＳ−ＳＣＣＨは、ＨＳ−ＰＤＳＣＨにて送信するデータに関する各種パラメータを送信する制御チャネルである。各種パラメータとしては、例えば、どの変調方式を用いるかを示す変調タイプ（Modulation Scheme）情報、割当てる拡散符号（spreading code）の数（コード数）、送信前に施されるレートマッチング処理のパターン等の情報が挙げられる。
【０００７】
一方、ＨＳ−ＤＰＣＣＨは、上り方向（Uplink）（即ち、移動局から基地局への方向）の個別の制御チャネルである。例えば、ＨＳ−ＰＤＳＣＨを介して基地局から受信したデータの受信可、否の結果をそれぞれＡＣＫ信号、ＮＡＣＫ信号として基地局に対して送信する際に移動局によって用いられる。尚、移動局がデータの受信に失敗した場合（受信データがＣＲＣエラーである場合等）は、再送要求としてのＮＡＣＫ信号が移動局から送信されるので、基地局は再送制御を実行することとなる。また、無線基地局は、ＡＣＫ信号もＮＡＣＫ信号も受信できない場合（ＤＴＸの場合）は、やはり再送制御を行うため、移動局がＡＣＫ信号もＮＡＣＫ信号も送信しないＤＴＸ状態となることも再送要求の１つとして挙げられる。
【０００８】
その他、ＨＳ−ＤＰＣＣＨは、移動局が測定した基地局からの受信信号の受信品質情報（例えばＳＩＲ）をＣＱＩ情報（Channel Quality Indicator）として基地局に送信するためにも用いられる。基地局は、受信したＣＱＩ情報により下り方向の送信形式を変更する。即ち、ＣＱＩ情報が下り方向の無線環境が良好であることを示す場合は、より高速にデータを送信可能な変調方式に送信形式を切りかえ、逆にＣＱＩ情報が下り方向の無線環境が良好でないことを示す場合は、より低速にデータを送信する変調方式に送信形式を切りかえる（即ち、適応変調を行う）。
・「チャネル構造」
次に、ＨＳＤＰＡにおけるチャネル構成について説明する。
図１は、ＨＳＤＰＡにおけるチャネル構成を示すための図である。尚、Ｗ−ＣＤＭＡは、符号分割多重方式を採用するため、各チャネルは符号により分離されている。
【０００９】
まず、説明していないチャネルについて簡単に説明しておく。
ＣＰＩＣＨ（Common Pilot Channel）は、下り方向の共通チャネルであり、無線ゾーン（セル）内の全ての移動局に対して送信される。
【００１０】
ＣＰＩＣＨは、移動局においてチャネル推定、セルサーチ、同一セル内における他の下り物理チャネルのタイミング基準として利用されるチャネルであり、いわゆるパイロット信号を送信するためのチャネルである。
【００１１】
次に、図１を用いて、チャネルのタイミング関係について説明する。
図のように、各チャネルは、３×５＝１５個のスロット（各スロットは、２５６０チップ長相当）により１フレーム（１０ｍｓ）を構成している。先に説明したように、ＣＰＩＣＨは他のチャネルの基準として用いられるため、Ｐ−ＣＣＰＣＨ及びＨＳ−ＳＣＣＨのフレームの先頭はＣＰＩＣＨのフレームの先頭と一致している。ここで、ＨＳ−ＰＤＳＣＨのフレームの先頭は、ＨＳ−ＳＣＣＨ等に対して２スロット遅延しているが、移動局がＨＳ−ＳＣＣＨを介して変調タイプ情報を受信してから、受信した変調タイプに対応する復調方式でＨＳ−ＰＤＳＣＨの復調を行うことを可能にするためである。また、ＨＳ−ＳＣＣＨ、ＨＳ−ＰＤＳＣＨは、３スロットで１サブフレームを構成している。
【００１２】
ＨＳ−ＤＰＣＣＨは、上り方向のチャネルであり、ＨＳ−ＰＤＳＣＨの受信から約７．５スロット経過後に、受信確認のための応答信号であるＡＣＫ／ＮＡＣＫ信号を移動局から基地局に送信するための用いるスロット（１スロット長）を含む。
【００１３】
また、ＨＳ−ＤＰＣＣＨは、適応変調制御のためのＣＱＩ情報を定期的に基地局にフィードバック送信するためにも用いられる。ここで、送信するＣＱＩ情報は、例えば、ＣＱＩ送信の４スロット前から１スロット前までの期間に測定した受信環境（例えば、ＣＰＩＣＨのＳＩＲ測定結果）に基づいて算出される。
【００１４】
上述した、ＨＳＤＰＡに関する事項は、例えば次の非特許文献１に開示されている。
【非特許文献１】３Ｇ  ＴＳ  ２５．２１２（3rd Generation Partnership Project: TechnicalSpecification Group Radio Access Network ; Multiplexing and channel coding (FDD)）V6.2.0 (2004年６月)
【発明の開示】
【発明が解決しようとする課題】
【００１５】
先に説明した背景技術によれば、無線基地局は、ＣＰＩＣＨを共通チャネルで送信し、移動局は、測定区間（Ａ１の部分）で測定したＣＰＩＣＨの受信品質（ＣＰＩＣＨの受信ＳＩＲ）を適応変調制御のためのパラメータ（ＣＱＩ）として送信する（Ａ２の部分）。そして、無線基地局は、そのパラメータに基づいて送信するデータの送信予告を送信（Ａ３の部分）し、その後、適応変調制御されたのデータを送信（Ａ４の部分）し、移動局は、このデータの受信結果（ＡＣＫ信号又はＮＡＣＫ信号）を送信（Ａ５の部分）する。
【００１６】
この一連の手順により、適応変調制御に影響を与える信号の送信から、適応変調制御によりデータが送信され、更には、送信データの受信結果の送信が行われるため、適応変調制御に基づくデータ送信が着実に実行されることとなる。
【００１７】
しかし、Ａ１の送信からＡ３（Ａ４）又はＡ５の送信が行われるまで（データ送信の１サイクル）に要する時間が非常に長いという問題がある。
【００１８】
ここで、この問題について図２を用いて説明する。
【００１９】
図２は、この問題が顕著となるハンドオーバ時の動作について説明するための図である。
【００２０】
尚、移動局は、無線ゾーン１（セル１）から無線ゾーン（セル２）に向けて移動し、移動にともなって、無線ゾーンを１から２に切り替える処理を行うものとする。
【００２１】
図のように、サブフレーム６とサブフレーム７との間でちょうどハンドオーバ処理を行ったことを想定すると、図中点線枠としたデータ部分についてデータ送信の１サイクルが完結せず、データ伝送に支障を来たしていることがわかる。
【００２２】
何故なら、セル１で送信されるＨＳ−ＳＣＣＨの第３〜５サブフレーム（また対応するＨＳ−ＰＤＳＣＨのサブフレーム）についての受信結果を示すＡＣＫ信号の送信は、セル２に対して送信されるため、セル１では、受信確認ができない。
【００２３】
また、セル２で送信されるＨＳ−ＳＣＣＨの第７〜１０サブフレーム（また対応するＨＳ−ＰＤＳＣＨのサブフレーム）は、セル１で送信されたＣＰＩＣＨについてのＣＱＩに基づく適応変調制御に関連するものとなっており、受信環境に応じた適応変調制御となっていない。
【００２４】
更に、ＨＳ−ＳＣＣＨの第６サブフレーム（また対応するＨＳ−ＰＤＳＣＨのサブフレーム）は、対応するＨＳ−ＰＤＳＣＨのサブフレームの途中で移動局がＨＳ−ＰＤＳＣＨの受信用の送信元セルを１から２に切り替えてしまい、エラーとなり、結果的にこの第６サブフレームによる送信予告が無駄になっている。
【００２５】
そして、データ送信の１サイクルに着目すると、そのサイクル内に、問題のあるデータが含まれる場合は、対応するＨＳ−ＳＣＣＨ、ＨＳ−ＰＤＳＣＨ、ＣＱＩ、ＡＣＫ信号についても同様に支障をきたしているということができる。
【００２６】
以上のように、データ送信の１サイクルが長いため、ハンドオーバの前後において広範囲に問題を有するデータ部分を含んでしまっている。
【００２７】
そして、問題を有するデータ部分は、再送となる可能性が高かったり、他の無線信号の干渉となってしまうこととなる。
【００２８】
従って、本発明の目的の１つは、ハンドオーバの際に、問題を有するデータ部分の発生が抑制されるようにすることである。
【００２９】
尚、上記目的に限らず、後述する発明を実施するための最良の形態に示す各構成により導かれる効果であって、従来の技術によっては得られない効果を奏することも本発明の目的の１つとして位置付けることができる。
【課題を解決するための手段】
【００３０】
（１）本発明では、送信先の候補としての複数の移動局の中から送信を行う対象の移動局を順次選択し、選択した移動局に対して共通チャネルを介してデータ伝送を行う無線通信システムにおいて、ハンドオーバを行う移動局を検出する検出部と、該検出部で検出した移動局について、他の移動局に比べて前記選択がされにくくなるように制御する制御部と、を備えたことを特徴とする無線基地局を用いる。
（２）前記制御は、ハンドオーバ処理による、共通チャネルを介したデータの送信を予告するチャネルの切り替え前又は後の所定期間内で行うことを特徴とする（１）記載の無線基地局を用いる。
（３）前記制御は、ハンドオーバ処理による、共通チャネルを介したデータの送信を予告するチャネルの切り替え前に送信する予告するチャネルであって、該予告チャネルに従って送信される共通チャネルについての受信結果の送信タイミングが該チャネル切り替え後である、予告チャネルに関するものである、ことを特徴とする（１）記載の無線基地局を用いる。
（４）前記制御は、ハンドオーバ処理による、共通チャネルを介したデータの送信を予告するチャネルの切り替え後に送信する予告するチャネルであって、該予告の際に用いるパラ−メータが該チャネル切り替え前に送信される予告チャネルに関するものである、ことを特徴とする（１）記載の無線基地局を用いる。
（５）前記制御は、ハンドオーバ処理による、共通チャネルを介したデータの送信を予告するチャネルの切り替え前に送信する予告するチャネルであって、該予告に従って送信される共通チャネルが、該切り替えのタイミングにさしかかる、予告チャネルに関するものである、ことを特徴とする（１）記載の無線基地局を用いる。
（６）本発明では、無線基地局からの受信した信号についての受信品質情報を送信するとともに、該受信品質情報に基づいて該無線基地局から下りチャネルを介してデータを受信する移動局において、ハンドオーバ処理を行うことを検出する検出部と、該検出を行った場合に、該ハンドオーバ処理による前記下りチャネルのチャネル切り替え前が送信タイミングである受信品質情報であって、該受信品質情報に基づいて該無線基地局から前記下りチャネルを介して送信されるデータの送信タイミングが該チャネル切り替え後である受信品質情報について送信をしないように制御する制御部と、を備えたことを特徴とする移動局を用いる。
（７）本発明では、無線基地局から受信した信号についての受信品質情報を送信するとともに、該受信品質情報に基づいて該無線基地局から下りチャネルを介して送信予告及び該送信予告に係るデータを受信し、該データの受信結果を送信する移動局において、ハンドオーバ処理を行うことを検出する検出部と、該検出を行った場合に、該ハンドオーバ処理による前記下りチャネルのチャネル切り替え後が送信タイミングである受信結果であって、該受信結果が示す受信結果に関するデータの送信に用いられる受信品質情報の送信タイミングが、該チャネル切り替え前である受信結果について送信をしないように制御する制御部と、を備えたことを特徴とする移動局を用いる。
【発明の効果】
【００３１】
本発明によれば、ハンドオーバの際に、問題を有するデータ部分の発生が抑制される。
【発明を実施するための最良の形態】
【００３２】
以下、図面を参照することにより、本発明の実施の形態について説明する。
【００３３】
〔ａ〕第１実施形態の説明
この実施形態では、ハンドオーバを行う移動局と他の移動局とを区別し、ハンドオーバを行う移動局については共通チャネルを介したデータの送信をなるべく行わないようにする。
【００３４】
即ち、送信先候補の移動局から送信を行う対象の移動局を順次選択し、選択した移動局に対して共通チャネル（例えば、ＨＳ−ＰＤＳＣＨ）を介してデータ伝送を行う無線通信システムにおいて、ハンドオーバを行う移動局を検出する検出部と、検出部で検出した移動局について、他の移動局に比べて選択がされにくくなるように制御する（例えば、送信スケジュールを組む際に、送信先の候補からはずす）。
【００３５】
これにより、ハンドオーバを行うために支障をきたすデータが発生しやすい移動局宛てには、共通チャネルを介してデータの送信を行わない方向に制御される。
【００３６】
また、替わりに共通チャネルを介して他の移動局宛てにデータを送信することができるため、共通チャネルの利用効率がよくなる。
【００３７】
また、更に、再送制御を行っている場合には、再送制御の発生が抑えられる。
【００３８】
以下、先に説明したＨＳＤＰＡを例に挙げてこの工夫について、図面を用いて具体的に説明する。
【００３９】
もちろん、ＨＳＤＰＡに限らずハンドオーバ処理を行う他の無線通信システムに適用することができる。その際、ＨＳＤＰＡと同様に、適応変調制御（更には、再送制御等）を行うシステムに適用することが最も好ましい。
・「移動通信システムの構成」
図３は、本発明に係る移動通信システムの構成の１例を示す。移動通信システムとしては、種々のものが考えられるが、ここでは、背景技術の説明と同様、Ｗ−ＣＤＭＡ（ＵＭＴＳ）をベースとした、ＨＳＤＰＡに対応した移動通信システムであるものとする。
【００４０】
図において、１はコアネットワーク、２、３は無線基地局制御装置（ＲＮＣ：Radio Network Controller）、４、５は多重分離装置、６１〜６５は無線基地局（ＢＳ：Base Station）、７は移動局（ＵＥ：User equipment）をそれぞれ示す。
【００４１】
コアネットワーク１は、移動通信システム内においてルーティングを行うためのネットワークであり、例えば、ＡＴＭ交換網、パケット交換網、ルーター網等によりコアネットワークを構成することができる。
【００４２】
尚、コアネットワーク１は、無線基地局６１〜６５の上位装置として位置付けられ、他の公衆網（ＰＳＴＮ）等とも接続され、移動局７が固定電話等との間で通信を行うことも可能としている。
【００４３】
無線基地局制御装置２、３は、コアネットワークの構成装置と同様に、無線基地局６１〜６５の上位装置として位置付けられ、これらの無線基地局６１〜６５の制御（使用する無線リソースの管理等）を行う機能を備えている。また、移動局７との間の通信をハンドオーバ元の無線基地局との間の通信からハンドオーバ先の無線基地局との間の通信に切り替えるハンドオーバ処理に係わる制御を行う機能（後述するハンドオーバ処理機能部１３が有する機能）も備えている。
【００４４】
ここで、サービングＲＮＣ（Ｓ−ＲＮＣ）、ドリフトＲＮＣ（Ｄ−ＲＮＣ）の概念について説明する。
【００４５】
移動局７が発信、着信した際に、最初にその処理を担当した無線基地局制御装置はサービングＲＮＣ（図１にでは、ＲＮＣ２とする）と称される。
【００４６】
その後、移動局７が通信を継続しながら、右方向に移動すると、サービングＲＮＣ２の配下の無線基地局６３が形成する無線エリア（セル）からＲＮＣ３の配下の無線線基地局６４が形成する無線エリア（セル）に移ることとなる。
【００４７】
その際、移動局７と無線通信を行う無線基地局６の切り替えを行う必要があるため、いわゆるハンドオーバ処理（ハードハンドオーバ処理）が実行される。
【００４８】
即ち、移動局７は、無線基地局６３宛てに送信していたデータを無線基地局６４宛てに送信するように切り替える。また、無線基地局６３から受信していた受信状態を無線基地局６４から受信する受信状態に切り替える（データの受信を行うための送信元を切り替える）のである。
【００４９】
無線基地局側も同様に、無線基地局６３から移動局７へのデータ送信状態を無線基地局６４から移動局７へのデータ送信状態に切り替えるとともに、移動局７からデータを受信する無線基地局を６３から無線基地局６４に切り替えるのである。
【００５０】
一方、移動局７についてのデータの遣り取りをコアネットワーク側と行う際には、窓口となるＲＮＣは、１つのＲＮＣ（サービングＲＮＣ）とされる。
【００５１】
従って、ハンドオーバ先の無線基地局６４を管理するＲＮＣ３は、移動局７からの受信信号をサービングＲＮＣ２へ転送する（コアネットワーク１を介して転送してもよいし、ＲＮＣ２、３間で直接の接続回線が設けられている場合は、コアネットワーク１を介さず、この直接の接続回線を介して転送する）。
【００５２】
そして、移動局７にとって、サービングＲＮＣとして機能するＲＮＣ２は、ハンドオーバ処理の前は、配下の無線基地局を介して移動局７から受信したデータ、ハンドオーバ処理後は、ＲＮＣ３から転送された移動局７からの受信データをコアネットワーク１側に引き渡すのである。
【００５３】
尚、ＲＮＣ３は、サービングＲＮＣに対して、ドリフトＲＮＣと称される。
【００５４】
もちろん、下り方向（コアネットワーク１側から移動局７方向）に信号を送信する場合も同様であり、まず、コアネットワーク１からサービングＲＮＣ２に信号が送信され、ハンドオーバ処理前であれば、サービングＲＮＣ２は配下の無線基地局を介して移動局７でデータを送信し、ハンドオーバ処理後であれば、サービングＲＮＣ２は、ドリフトＲＮＣ３にデータを転送し、ドリフトＲＮＣ３配下の無線基地局６を介して移動局７にデータを送信するのである。
【００５５】
尚、ＲＮＣ２、３の機能を無線基地局６、コアネットワーク１側に割り振ることで各ＲＮＣを省略することもできる。例えば、ハンドオーバ処理機能部をコアネットワーク１側に設け、無線チャネルの割当て制御機能等を無線基地局６に与えるのである。
【００５６】
以上説明した例は、異なるＲＮＣの配下の無線基地局間のハンドオーバであるが、同じＲＮＣの配下の無線基地局間（例えば、６１〜６３間）でも実行される。
【００５７】
尚、この場合は、ＲＮＣは、サービングＲＮＣである場合は、他のＲＮＣへ転送することなく配下の無線基地局で受信した移動局７からのデータをコアネットワーク１へ送信し、逆に、コアネットワーク１から受信したデータは、他のＲＮＣへ転送することなく、配下の無線基地局から移動局７へ送信することができる。
【００５８】
また、１つの無線基地局内であっても、例えば、複数のアンテナを用いて複数の無線エリア（セクタ（セル））を形成している場合は、セクタ（セル）間でハンドオーバ処理を行うこともできる。
【００５９】
さて、多重分離装置４、５は、ＲＮＣと無線基地局装置との間に設けられ、ＲＮＣ２、３から受信した各無線基地局宛ての信号を分離し、各無線基地局宛てに出力するとともに、各無線基地局からの信号を多重して対応するＲＮＣに引き渡す制御を行う。
【００６０】
もちろん、無線基地局制御装置と複数の無線基地局を直接接続することで、この多重分離装置も省略することができる。
【００６１】
無線基地局６１〜６３はＲＮＣ２、無線基地局６４、６５はＲＮＣ３により無線リソースを管理されつつ、移動局７との間の無線通信を行う。
【００６２】
移動局７は、無線基地局６の無線エリア（セル）内に在圏することで、無線基地局６との間で無線回線を確立し、コアネットワーク１を介して他の通信装置との間で通信を行うことができ、また、移動をした場合であっても、ハンドオーバ処理により通信相手の無線基地局を切り替えることで他の通信装置との間の通信を継続することができる。
【００６３】
以上が図３に示した第１実施形態における移動通信システムの動作の概要であるが、以下、各ノードの構成及び動作を詳細に説明する。
・「無線基地局制御装置２（３）」
図４は、無線基地局制御装置（ＲＮＣ：Radio Network Controller）を示す図である。
【００６４】
図において、１０は多重分離装置との通信用の第１インタフェース部、１１は各部の動作を制御する制御部、１２はコアネットワーク側との通信用の第２インタフェース部をそれぞれ示す。
【００６５】
好ましくは、第１、２インタフェース部として、ＡＴＭ方式に従った伝送を行うインタフェース部を採用することができる。もちろん、他の方式に従った伝送を行うこともできる。
【００６６】
制御部１１は、各部の動作の制御を行うとともに、先に説明したハンドオーバ処理に関する処理（転送処理、無線チャネル割当て等）を行うハンドオーバ処理機能部１３、３ＧＰＰ移動通信システムに規定されるＲＬＣ（ＲＬＣ：Radio Link Control）レイヤのような上位レイヤの処理機部１４も含む。
【００６７】
次に、コアネットワーク１１側からの信号を多重分離装置４（５）側へ送信する際の動作について説明する。
【００６８】
制御部１１は、コアネットワーク１側から受信した信号を、第２インタフェース部１２で終端処理して得られたデータ（例えば、可変長のパケットデータとする）を所定長毎に分割し、例えば、ＲＬＣ  ＰＤＵ（Packet Data Unit））を複数生成する。
【００６９】
尚、制御部１１は、各ＰＤＵに対して連番を付すべく、分割した各ＲＬＣ  ＰＤＵのシーケンスナンバ領域にその連番を書き込む。このシーケンスナンバは、移動局７で、ＰＤＵの順番抜けを発見するために用いられ、順番抜けが発生した場合は、ＲＬＣレイヤにおける再送制御を行うために、
移動局から正しく受信できなかったＰＤＵのシーケンスナンバが送信され、このシーケンスナンバを受信した制御部１１（上位レイヤ処理機能部１４）は、送信したＲＬＣ  ＰＤＵを移動局７へ向けて再送信する（送信したＲＬＣ  ＰＤＵはメモリ等に控えとして記憶しておく）。
【００７０】
さて、ＲＬＣ  ＰＤＵを生成した制御部２２は、ＲＬＣ  ＰＤＵを複数まとめて、ＨＳ−ＰＤＳＣＨ  ＦＰ（フレームプロトコル）に従ったフォーマットの信号を生成して、第１インタフェース部２０に与え、例えば、ＡＴＭセル化してから多重分離装置４（５）側へ送出する。
・「無線基地局６１〜６５」
図５は、無線基地局６（ＢＳ：Base Station）を示す図である。
【００７１】
図において、１５は多重分離装置４（５）から自装置宛ての信号として分離送信された信号の終端処理をする第１インタフェース部を示し、１６は移動局７との間で無線信号の送受信を行なうための無線送受信部を示す。
【００７２】
１７は移動局７との間で実行される先に説明したＨ−ＡＲＱによる再送制御を行うために再送用の送信データを格納しておいたり、共用チャネルであるＨＳ−ＰＤＳＣＨで送信するデータであって、送信順番待ちのデータを格納しておくための記憶部を示す。
【００７３】
１８は各部の制御を行うとともに、下り信号生成部１９、上り信号処理部２０、再送管理部２１、適応変調管理部２２、検出部２３を含む制御部を示す。
【００７４】
ここで、下り信号生成部１９は、下り信号（ＣＰＩＣＨ、ＨＳ−ＳＣＣＨ、ＨＳ−ＰＤＳＣＨ等のデータ）として送信するデータを生成し、上り信号処理部２０は、上り信号（ＨＳ−ＤＰＣＣＨ）等からＣＱＩ情報、ＡＣＫ信号、ＮＡＣＫ信号等を抽出する。
【００７５】
また、再送管理部２１は、Ｈ−ＡＲＱに関連する再送制御を管理し、検出部２３は、ハンドオーバを行う移動局を検出する。例えば、無線基地局制御装置２（３）からハンドオーバ処理を行う対象の移動局とそのタイミング（例えば図２のタイミングＡ）を通知されることで、ハンドオーバ処理を行う移動局の検出を行う。もちろん、他の検出手法を用いることもできる。
【００７６】
次に、多重分離装置４（５）から受信したデータの処理動作について説明する。
【００７７】
まず、第１インタフェース部１５を介して受信したＨＳ−ＰＤＳＣＨのフレームが、制御部１８に入力される。
【００７８】
制御部１８は、受信したＨＳ−ＰＤＳＣＨのフレームに含まれるある移動局宛てのＭＡＣ−ｄ  ＰＤＵを記憶部１７に記憶させておく。
【００７９】
そして、共有チャネルであるＨＳ−ＰＤＳＣＨを介してその移動局宛てにデータの送信が可能となったことを検出すると、記憶部１７からその移動局宛てのＭＡＣ−ｄ  ＰＤＵを順に複数取り出し、ＭＡＣ−ｄ  ＰＤＵを複数含むＭＡＣ−ｈｓ  ＰＤＵを生成する。尚、取り出すＭＡＣ−ｄ  ＰＤＵの数は、ＣＱＩ情報等により定まるトランスポートブロックサイズ内に収まるように選択される。
【００８０】
ＭＡＣ−ｈｓ  ＰＤＵは、１つのトランスポートブロックを形成し、移動局７に向けて、ＨＳ−ＰＤＳＣＨを介して送信されるデータの元となる。
【００８１】
尚、ＭＡＣ−ｈｓ  ＰＤＵは、各ＭＡＣ−ｈｓ  ＰＤＵに付されるシーケンスナンバーであるＴＳＮ（Transmission Sequence Number）を含み、複数のプロセスに分けて移動局７宛てにＨＳ−ＰＤＳＣＨの送信を行っても、このシーケンスナンバーに従って、トランスポートブロックの並び替えが可能となるようにしている。
【００８２】
さて、制御部１８において生成されたＭＡＣ−ｈｓ  ＰＤＵは、Ｈ−ＡＲＱによる再送制御を実行するために、記憶部１７へ格納されるとともに、下り信号生成部１９に入力され誤り訂正符号化、誤り検出符号化等の処理が施されて、ＨＳ−ＰＤＳＣＨの１サブフレームを形成し、他の信号とともに無線送受信部１６に与えられることで、ＨＳ−ＰＤＳＣＨを介して移動局７宛てに送信される。
【００８３】
但し、先に説明したように、ＨＳ−ＰＤＳＣＨの送信の前には、ＨＳ−ＳＣＣＨを介して移動局７に向けた送信予告が行われる。
【００８４】
即ち、制御部１８はＨＳ−ＰＤＳＣＨの送信の前に、ＨＳ−ＳＣＣＨを介して送信するデータを下り信号生成部１９へ与え、下り信号生成部１９は、与えられたデータに基づいてＨＳ−ＳＣＣＨの１サブフレームを生成して無線送受信部１６へ与える。
【００８５】
ＨＳ−ＳＣＣＨにより送信の予告を受け、ＨＳ−ＰＤＳＣＨを受信した移動局７は、ＨＳ−ＤＰＣＣＨを介してＨＳ−ＰＤＳＣＨの受信結果（ＡＣＫ信号又はＮＡＣＫ信号）を送信する。
【００８６】
無線基地局６の上り信号処理部２０は、移動局７からの上り信号（ＨＳ−ＤＰＣＣＨ等）の受信処理を行い、受信結果がＮＡＣＫ信号であることを検出すると、再送管理部２１に通知する。
【００８７】
従って、再送管理部２１は、記憶部１７から送信に失敗したＭＡＣ−ｈｓ  ＰＤＵを読み出し、再び、下り信号処理部１９に与えて、無線送受信部１６に再送信を実行させる。
【００８８】
一方、上り信号処理部２０により、ＨＳ−ＰＤＳＣＨの受信結果がＡＣＫ信号であることが検出された場合は、再送制御は不要であるから、制御部１８は、次の新規トランスポートブロックを送信すべく、記憶部１７に記憶している、未送信（送信順番待ち）のＭＡＣ−ｄ  ＰＤＵを読み出し、新たなＭＡＣ−ｈｓ  ＰＤＵを生成して下り信号生成部１９に与えることで、無線送受信部１６に送信させる制御を行う。
【００８９】
以上が無線基地局におけるＨ−ＡＲＱ（再送制御）に関する動作であるが、先に説明したように、ＨＳＤＰＡでは、無線基地局６において、適応変調制御を実行するため、移動局７から定期的にＣＱＩ情報を受信する。
【００９０】
ＣＱＩ情報は、上り信号処理部２０により受信されるため、上り信号処理部２０は、これのＣＱＩ情報を適応変調管理部２２に与える。
【００９１】
尚、ＣＱＩ情報は、無線基地局６から送信され、移動局７で受信される下り信号（例えばＣＰＩＣＨ）の受信品質（例えば受信ＳＩＲ）に対応したものである。
【００９２】
例えば、ＣＱＩ情報を１〜３０の計３０種類用意しておき、移動局７は、受信品質に対応するＣＱＩ情報を選択して送信し、適応変調管理部２２は、移動局７から受信したＣＱＩ情報に対応する送信形式を無線送受信部１６、下り信号生成部１９に指定し、その形式に従った適応変変調制御を実行させる。
【００９３】
送信形式としては、１サブフレーム内で送信するビット数を示すＴＢＳ（Transport Block Size）ビット数、送信の際に利用する拡散コードの数を示す、コード数、ＱＰＳＫ、ＱＡＭ等の変調方式を示す変調タイプが挙げられる。
【００９４】
従って、ＣＰＩＣＨのＳＩＲが良好な（ＳＩＲが大きい）ほど、ＣＱＩも大きい値となるようにし、ＣＱＩが大きくなるほど、対応するＴＢＳビット数、拡散コード数も多くなるように定義しておくことで、下り信号の受信品質が良好なほど、伝送速度が速くなる方向に制御される（逆に受信品質が劣悪なほど伝送速度が遅くなる方向に制御される）。
【００９５】
尚、これらの送信形式は移動局７にも通知する必要があるため、適応変調管理部２２は、先に説明したように、適応変調制御により送信を行うＨＳ−ＰＤＳＣＨの送信の前に予告として送信するＨＳ−ＳＣＣＨ用のデータとして、下り信号生成部１９に送信形式情報を与え、無線送受信部１６を介して送信形式情報を移動局７に送信するのである。
【００９６】
以上が、無線基地局６の基本的な構成と動作であるが、先に説明したように、１つの無線基地局６が複数の無線エリア（セル）を形成する場合もある。
【００９７】
図６は、１つの無線基地局が複数の無線エリアを形成する場合の構成を示したものである。
【００９８】
各構成は，基本的には図５と同様であるが、無線送受信処理部１６や、制御部１８が各無線エリア（セル）対応に複数（この場合は３つ）設けられており、第１インタフェース部１５から受信したデータは、対応する制御部１８１〜１８３に振り分けられ、制御部１８１〜１８３は担当無線エリアについて、それぞれ別個に先に説明した制御部１８相当の処理（適応変調制御、再送制御等）を実行するのである。
【００９９】
尚、記憶部１７は、各制御部で共通に用いることもできる。
・「移動局７」
次に、移動局の構成及び動作について説明する。
【０１００】
図７に移動局７の構成を示す。図において、３０は無線基地局６の無線送受信部１６との間で無線通信を行うための無線送受信部を示し、３１は音声、データ等の入力及び受信音声、データの出力を行う入出力部を示す。
【０１０１】
３２は各種必要とされるデータを記憶する記憶部を示し、Ｈ−ＡＲＱを実現すべく、受信エラーとなったデータを一時的に格納するためにも用いられる。
【０１０２】
３３は各部の制御を行う制御部を示し、ＣＰＩＣＨ処理部３４、ＨＳ−ＳＣＣＨ処理部３５、ＨＳ−ＰＤＳＣＨ処理部３６、ＨＳ−ＤＰＣＣＨ処理部３７、上位レイヤ処理部３８、検出部３９を備える。
【０１０３】
ＣＰＩＣＨ処理部３４は、無線基地局６から連続的に送信されるＣＰＩＣＨの受信処理を測定区間等で行い、受信品質（受信ＳＩＲ）の測定結果をＨＳ−ＤＰＣＣＨ処理部３７に与える。また、ＣＰＩＣＨの受信処理により得られたパイロット信号のＩＱ平面上の位相情報をＨＳ−ＳＣＣＨ処理部３５、ＨＳ−ＰＤＳＣＨ処理部３６等に与えて同期検波（チャネル補償）を可能としている。
【０１０４】
尚、移動局７は、ＨＳＤＰＡのサービスを受けている間は、ＨＳ−ＤＰＣＣＨを介して、適応変調制御のためのＣＱＩ情報を定期的に基地局にフィードバック送信する。ここで、送信するＣＱＩ情報は、例えば、ＣＱＩ送信の３スロット前から１スロット前までの期間で測定した結果に対応するＣＱＩ情報とする。
【０１０５】
尚、受信品質（受信ＳＩＲ）とＣＱＩ情報との対応関係は記憶部３２に記憶しておき、受信品質に対応するＣＱＩ情報を選択することで送信するＣＱＩ情報を決定することができる。
【０１０６】
ＨＳ−ＳＣＣＨ処理部３５は、無線基地局６から送信されるＨＳ−ＳＣＣＨの受信処理を毎サブフレームについて行い、自局宛てにＨＳ−ＰＤＳＣＨを介したデータの送信が行われることの送信予告がされているかどうかをチェックする。
【０１０７】
即ち、ＨＳ−ＳＣＣＨの第１パートを受信し、自局固有のコードを乗算してから復号した結果（例えば尤度情報）に基づいて自局宛てに送信されたかどうかを検出するのである。
【０１０８】
ここで、自局宛に送信されたことを検出すると、残りの第２パートの受信処理を完了させ、第１、第２パートの全体に対して付加された誤り検出ビットに基づいて受信エラー検出を行う。尚、ＨＳ−ＳＣＣＨ処理部３５がエラーを検出した場合は、予告の検出は誤りであったとして、以下のＨＳ−ＰＤＳＣＨ処理部３６における処理を中断することもできる。
【０１０９】
さて、自局宛ての送信予告があることを検出したＨＳ−ＳＣＣＨ処理部３５は、２スロット後のＨＳ−ＰＤＳＣＨの１サブフレームを受信するように、ＨＳ−ＰＤＳＣＨ処理部３６に通知する。
【０１１０】
その際、無線基地局６からＨＳ−ＳＣＣＨのパート１で通知されたコード情報、変調タイプ情報も通知する。
【０１１１】
これにより、ＨＳーＰＤＳＣＨ処理部３６は、ＨＳ−ＰＤＳＣＨの受信処理を開始することができ、残りの第２パートに含まれる他の受信処理に必要な情報を、その後ＨＳ−ＳＣＣＨ処理部３５から取得することで、ＨＳ−ＰＤＳＣＨの受信処理（デレートマッチング、誤り訂正復号等）を完了し、復号結果のエラー検出を行うのである。
【０１１２】
さて、ＨＳ−ＰＤＳＣＨ処理部３６は、ＨＳ−ＰＤＳＣＨについての復号結果にＣＲＣエラーの有無をＨＳ−ＤＰＣＣＨ処理部３７に通知する。また、復号して得られたＭＡＣ−ｈｓ  ＰＤＵに含まれるＴＳＮに基づいて並び替え処理（リオーダリング）を行い、上位レイヤ処理機能部３８へリオーダリング後のデータを引き渡す。
【０１１３】
上位レイヤ処理機能部３８は、ＭＡＣ−ｄ  ＰＤＵに含まれるシーケンスナンバに順番抜けがあるかどうか判定し、順番抜けを検出し、無線基地局制御装置２（３）に対して別途設けた個別チャネルを介して通知し、ＲＬＣレイヤにおける再送制御を実行するのである。
尚、順番とおりに取得した受信データは順次入出力部３１から対応する出力形式で出力（音声出力、画像出力等）されることとなる。
【０１１４】
ＨＳ−ＤＰＣＣＨ処理部３７は、ＣＰＩＣＨ処理部３４から与えられた受信品質に対応するパラメータ（無線基地局６における適応変調制御に用いられるパラメータＣＱＩ）を記憶部３２に記憶した対応関係（ＣＱＩテーブル）に基づいて選択し、ＨＳ−ＤＰＣＣＨを介して無線基地局６に向けて送信する。また、ＨＳ−ＰＤＳＣＨ処理部３６からのエラー有無通知に応じて、ＨＳ−ＤＰＣＣＨ処理部３７は、ＨＳ−ＤＰＣＣＨを介して受信結果信号（ＡＣＫ信号、ＮＡＣＫ信号）を送信する。
【０１１５】
即ち、ＨＳ−ＤＰＣＣＨ処理部３７は、エラー無しであればＡＣＫ信号を、エラー有りであればＮＡＣＫ信号を無線送受信部３０に与えて送信させる。
【０１１６】
検出部３９は、ハンドオーバ処理を行うことを検出する。例えば、無線基地局制御装置２（３）から、無線基地局６を介してハンドオーバ処理を開始すべきこと、開始タイミング（例えば図２のタイミングＡ）を通知されることでハンドオーバ処理を行うことを検出することができる。
【０１１７】
従って、移動局７においては、ＨＳ−ＳＣＣＨを毎サブフレームチェックし、自局宛てにＨＳ−ＰＤＳＣＨを介したデータの送信が行われることを通知されると、２スロット後のＨＳ−ＰＤＳＣＨの１サブフレームを受信し、復調、復号（ターボ復号）することで、復号結果を得、ＣＲＣビットを用いたＣＲＣ演算により受信可否を判定し、否であれば、受信データを記憶部３２に記憶させるとともに、ＮＡＣＫ信号をＨＳ−ＤＰＣＣＨを介して無線基地局６に送信する。
【０１１８】
そして、無線基地局６により再送信が実行されると、記憶部３２に記憶済みのデータと再送信されたデータとを合成してから、復号（ターボ復号）を行い、復号後のデータについて、再びＣＲＣチェックを行う。
【０１１９】
ＣＲＣチェックにより、可と判定されると、ＨＳ−ＤＰＣＣＨ処理部３７は、ＨＳ−ＤＰＣＣＨを介してＡＣＫ信号を無線基地局６に送信させる制御を行なう。
【０１２０】
そして、更に、復号して得られたＭＡＣ−ｈｓ  ＰＤＵに含まれるＴＳＮに基づいて並び替え処理（リオーダリング）を行い、並び替え後のトランスポートブロックに含まれるＭＡＣ−ｄ  ＰＤＵ（ＲＬＣ  ＰＤＵ）を上位レイヤ処理機能部３８に引き渡す。
【０１２１】
上位レイヤ処理機能部３８は、ＲＬＣ  ＰＤＵに含まれるシーケンスナンバを用いた並び替え（リオーダリング）を行い、順番抜けの検出及び、ポーリングビットのチェックを行なう。
【０１２２】
ここで、順番抜けを検出した場合、移動局１７のＲＬＣ処理機能部は、別途確立している個別物理チャネル（ＤＰＣＨ）を介して、ＲＬＣレイヤにおける再送制御のための正しく受信できなかったＰＤＵのシーケンスナンバを無線基地局制御装置２（３）に向けて送信する。
【０１２３】
移動局７の上位レイヤ処理機能部３８により送信制御されたＡＣＫ信号、正しく受信できなかったＰＤＵのシーケンスナンバは、無線基地局６、多重分離装置４（５）を介して無線基地局制御装置２（３）に送信される。
【０１２４】
無線基地局制御装置２（３）の制御部１１は、移動局７の上位レイヤ処理部３８から
正しく受信できなかったＰＤＵのシーケンスナンバの受信をすると、再送制御処理により、再送すべきデータ（ＨＳ−ＤＳＣＨフレーム）を不図示の記憶部から読み出して、再送信を行なう。
【０１２５】
以上が各装置の構成、動作の説明であるが、以下ハンドオーバの際の動作について詳細に説明する。
・「ハンドオーバの際の動作」
（Ａ）「ＨＳ−ＳＣＣＨ（ＨＳ−ＰＤＳＣＨ）の送信スケジュール」
図８は、ハンドオーバを行う移動局についてのＨＳ−ＳＣＣＨ（ＨＳ−ＰＤＳＣＨ）の送信スケジュールを説明するための上り、下り双方のフレームフォーマットを示している。
【０１２６】
まず、移動局７は、図３の無線基地局６のいずれかの無線ゾーン内（セル内）に在圏し、かつＨＳＤＰＡのサービスを受けている状態であるとする。尚、ここでは、移動局７は無線基地局６１の無線ゾーン内に在圏するとする。
【０１２７】
この場合、移動局７は、無線基地局６１から送信される第１のデータ（例えば、ＣＰＩＣＨの３スロット分）をＣＰＩＣＨ処理部３４で受信（図８のＣＰＩＣＨの黒塗り部分を参照）し、その受信品質（例えば、受信ＳＩＲ）に基づいて生成した第２のデータ（例えば、ＣＱＩ情報）をＨＳ−ＤＰＣＣＨ処理部３７により、無線基地局６１に対して送信する（黒塗り部分の受信完了から１スロット送れて送信されるＣＱＩ情報参照）。
【０１２８】
無線基地局６１は、この第２のデータに応じて第３のデータ（例えば、第５サブフレームのＨＳ−ＳＣＣＨ参照）、及び、対応するＨＳ−ＰＤＳＣＨのサブフレームを送信し、移動局７は、第９サブフレームに含まれるタイミングで、ＡＣＫ信号（受信エラー無しとする）を送信することでデータの伝送の１サイクルが完結することとなるが、図２で説明したように、途中（例えば、第６サブフレームと第７サブフレームとの間）でハンドオーバが発生すると、このサイクルに含まれるデータを含めて支障を来たすデータ部分が発生する（図２の点線枠で囲んでデータ参照）。
【０１２９】
しかし、この実施形態では、ＨＳ−ＳＣＣＨを介して送信予告を行う対象の移動局について制限が、無線基地局６の制御部１８によって加えられる
即ち、無線基地局６の検出部２３がハンドオーバを行う移動局を検出すると、制御部１８は、その移動局については、他の移動局に比べて、ＨＳ−ＰＤＳＣＨを介したデータの送信が行われにくくなるように制御するのである。
【０１３０】
例えば、図８に示したように、ハンドオーバによる送信予告チャネルであるＨＳ−ＳＣＣＨのチャネル切り替えタイミングＡの前の所定期間Ｔ１又はタイミングＡの後の所定期間Ｔ２のいずれかの期間又は双方の期間内において、ハンドオーバを行う移動局に対するＨＳ−ＰＤＳＣＨを介したデータの送信が行われにくくなるように制御するのである。
【０１３１】
このような制御の手法としては、例えば、この期間Ｔ１、Ｔ２内では、送信先の候補からハンドオーバを行う移動局を除くようにしたり、優先度に応じて順次送信先の移動局を選択する場合の優先度を下げるように制御すること等が考えられる。
【０１３２】
尚、このような制御は、期間中一度行うだけとすることもできるし、期間中を通してずっと行うこともできる。
【０１３３】
これにより、ハンドオーバを行うために支障をきたすデータが発生しやすい移動局宛てには、共通チャネルを介してデータの送信を行わない方向に制御される。
【０１３４】
また、替わりに共通チャネルを介して他の移動局宛てにデータを送信することができるため、共通チャネルの利用効率がよくなる。
【０１３５】
また、更に、再送制御を行っている場合には、再送制御の発生が抑えられる。
【０１３６】
以上が、ハンドオーバを行う移動局７に対する制御の一例であるが、他にも次のような制御とすることもできる。
・「他の例１」
この例では、制御部１８は、予告チャネル（ＨＳ−ＳＣＣＨ）の切り替えタイミングＡの前に送信するＨＳ−ＳＣＣＨのサブフレームであって、この切り替えタイミングＡの後に、このＨＳ−ＳＣＣＨによって送信予告されたデータの受信結果（ＡＣＫ信号、ＮＡＣＫ信号）の送信タイミングが設定されているサブフレームであるＦ３〜Ｆ６（図８の第３〜第６サブフレームのＨＳ−ＳＣＣＨ参照）については、ハンドオーバを行う移動局に対して送信予告（データ送信）を行いずらくするように制御する。
【０１３７】
これにより、チャネル切り替えにより受信結果を確実に取得できないおそれが高い移動局に対して無理にデータ送信を行ってしまうことを防止できることとなる。
・「他の例２」
この例では、制御部１８は、予告チャネル（ＨＳ−ＳＣＣＨ）の切り替えタイミングＡの後に送信するＨＳ−ＳＣＣＨのサブフレームであって、この切り替えタイミングＡの前に、このＨＳ−ＳＣＣＨによって送信予告するために必要とされるパラ−メータ（例えば、ＣＱＩ情報）の送信タイミングが設定されているサブフレームであるＦ７〜Ｆ１０（図８の第７〜第１０サブフレームのＨＳ−ＳＣＣＨ参照）については、ハンドオーバを行う移動局に対して送信予告（データ送信）を行いずらくするように制御する。
【０１３８】
これにより、チャネル切り替えにより送信予告に必要とされるパラメータが確実に取得できないおそれが高い移動局に対して無理にデータ送信を行ってしまうことを防止できることとなる。
・「他の例３」
この例では、制御部１８は、予告チャネル（ＨＳ−ＳＣＣＨ）の切り替えタイミングＡの前に送信するＨＳ−ＳＣＣＨのサブフレームであって、このサブフレームによって送信予告されるデータ（ＨＳ−ＰＤＳＣＨ）の送信が、この切り替えタイミングＡに差し掛かるサブフレームＦ６（図８の第６サブフレームのＨＳ−ＳＣＣＨ参照）については、ハンドオーバを行う移動局に対して送信予告（データ送信）を行いずらくするように制御する。
【０１３９】
これにより、チャネル切り替えによりデータを確実に受信できないおそれが高い移動局に対して無理にデータ送信を行ってしまうことを防止できることとなる。
〔ｂ〕第２実施形態の説明
この実施形態では、ハンドオーバを行う移動局について、チャネル切り替え前には、受信品質情報をなるべく送信しないようにする。
・「ハンドオーバの際の動作（品質情報の送信）」
図９は、ハンドオーバを行う移動局による、ＨＳ−ＤＰＣＣＨ（特に、品質情報としてのＣＱＩ情報）の送信を説明するための上り、下り双方のフレームフォーマットを示している。尚、前提は、図８におけるものと同様とする。
【０１４０】
この実施形態では、移動局７の制御部３３は、無線基地局６に向けて送信する受信品質情報（例えば、ＣＱＩ情報）について、ハンドオーバの際に制限を加えることとする。
【０１４１】
即ち、移動局７の検出部３９が、無線基地局制御装置２からの通知等により、ハンドオーバを行うことを検出すると、制御部３３は、ＣＱＩ情報の送信が行われにくくなるように制御するのである。
【０１４２】
例えば、図９に示したように、ハンドオーバによる送信予告チャネルであるＨＳ−ＳＣＣＨのチャネル切り替えタイミングＡの前が送信タイミングであって、その送信タイミングで送信されるＣＱＩ情報に基づいて無線基地局６から送信されるＨＳ−ＳＣＣＨ（ＨＳーＰＤＳＣＨ）のサブフレームの送信タイミングが、タイミングＡの後であるＦ０〜Ｆ６
ＨＳ−ＰＤＳＣＨ
（第０サブフレームから第６サブフレーム内のＣＱＩ情報を参照）については、制御部３３は、ＣＱＩ情報の送信を行わないように制御するのである。
【０１４３】
ここで、送信を行わない用に制御するとは、Ｆ０〜Ｆ６について全て送信しないこととする場合、少なくともこれらのうち１つの送信しないようにすることも含まれる。
【０１４４】
好ましくは、送信しないＣＱＩ情報については、生成も不要であるから、対応する測定区間で、ＣＱＩ情報の特定のためにＣＰＩＣＨの受信又は受信品質測定又は受信品質測定結果に対応するＣＱＩ情報を記憶部３２に記憶したデータに基づいて選択する動作を行わないようにする。
【０１４５】
これにより、更に消費電力の削減を図ることができるからである。
〔ｃ〕第３実施形態の説明
この実施形態では、ハンドオーバを行う移動局について、チャネル切り替え後には、受信結果情報のなるべく送信しないようにする。
・「ハンドオーバの際の動作（受信結果の送信）」
図１０は、ハンドオーバを行う移動局による、ＨＳ−ＤＰＣＣＨ（特に、受信結果としてのＡＣＫ信号又はＮＡＣＫ信号）の送信を説明するための上り、下り双方のフレームフォーマットを示している。尚、前提は、図８におけるものと同様とする。
【０１４６】
この実施形態では、移動局７の制御部３３は、無線基地局６に向けて送信する受信結果情報（例えば、ＡＣＫ信号、ＮＡＣＫ信号）について、ハンドオーバの際に制限を加えることとする。
【０１４７】
即ち、移動局７の検出部３９が、無線基地局制御装置２からの通知等により、ハンドオーバを行うことを検出すると、制御部３３は、受信結果情報の送信が行われにくくなるように制御するのである。
【０１４８】
例えば、図１０に示したように、ハンドオーバによる送信予告チャネルであるＨＳ−ＳＣＣＨのチャネル切り替えタイミングＡの後が送信タイミングであって、そのタイミングで送信する受信結果情報が示す受信結果に関するＨＳ−ＳＣＣＨ（又はＨＳ−ＰＤＳＣＨ）のサブフレームの送信に用いられるパラメータ（ＣＱＩ情報）の送信がタイミングＡの前である、Ｆ７〜Ｆ１３（第７サブフレームから第１３サブフレーム内のＡＣＫ信号を参照）については、制御部３３は、ＡＣＫ（ＮＡＣＫ）等の受信結果の送信を行わないように制御するのである。
【０１４９】
ここで、送信を行わない用に制御するとは、Ｆ７〜Ｆ１３について全て送信しないこととする場合、少なくともこれらのうち１つの送信しないようにすることも含まれる。
【０１５０】
好ましくは、送信しないＡＣＫ信号（ＮＡＣＫ信号）については、生成も不要であるから、対応するＨＳ−ＳＣＣＨ、ＨＳ−ＰＤＳＣＨの受信、対応するＣＱＩの送信、対応するＣＰＩＣＨの受信品質測定動作を行わないようにする。
【０１５１】
これにより、更に消費電力の削減を図ることができるからである。
【０１５２】
尚、図９のＦ６の次に送信するＣＱＩ情報、図１０のＦ１３の次に送信するＡＣＫ（ＮＡＣＫ）信号についても、同様に制御部３３は送信をしないように制御することもできる。
【０１５３】
受信品質の測定対象の無線ゾーン（セル１）と、受信品質の送信先の無線ゾーン（セル２）とが異なってしまったり、予告チャネル（ＨＳ−ＳＣＣＨ）が送信される無線ゾーン（セル１）と、受信結果（ＡＣＫ信号等）を送信する無線ゾーン（セル２）とが異なるからである。
【図面の簡単な説明】
【０１５４】
【図１】ＨＳＤＰＡにおけるチャネル構成を示すための図である。
【図２】ハンドオーバ時の動作を説明するための図である。
【図３】本発明に係る移動通信システムを示す図である。
【図４】本発明に係る無線基地局制御装置を示す図である。
【図５】本発明に係る無線基地局（その１）を示す図である。
【図６】本発明に係る無線基地局（その２）を示す図である。
【図７】本発明に係る移動局を示す図である。
【図８】本発明に係るハンドオーバの際のＨＳ−ＳＣＣＨの送信スケジュールを示す図である。
【図９】本発明に係るハンドオーバの際のＣＱＩの送信を説明するための図である。
【図１０】本発明に係るハンドオーバの際のＡＣＫ信号（ＮＡＣＫ信号）の送信を説明するための図である。
【符号の説明】
【０１５５】
１      コアネットワーク
２、３  ＲＮＣ
４、５  多重分離装置
６      無線基地局
７      移動局
１０    第１インタフェース部
１１    制御部
１２    第２インタフェース部
１３    ハンドオーバ処理機能部
１４    上位レイヤ処理機能部
１５    第１インタフェース部
１６    無線送受信部
１７    記憶部
１８    制御部
１９    下り信号生成部
２０    上り信号処理部
２１    再送管理部
２２    適応変調管理部
２３    検出部
３０    無線送受信部
３１    入出力部
３２    記憶部
３３    制御部
３４    ＣＰＩＣＨ処理部
３５    ＨＳ−ＳＣＣＨ処理部
３６    ＨＳ−ＰＤＳＣＨ処理部
３７    ＨＳ−ＤＰＣＣＨ処理部
３８    上位レイヤ処理機能部
３９    検出部
【図１】
2006174279.tif 000003
【図２】
2006174279.tif 000004
【図３】
2006174279.tif 000005
【図４】
2006174279.tif 000006
【図５】
2006174279.tif 000007
【図６】
2006174279.tif 000008
【図７】
2006174279.tif 000009
【図８】
2006174279.tif 000010
【図９】
2006174279.tif 000011
【図１０】
2006174279.tif 000012